(57)【要約】【課題】電線の余長部分がばたついて異音を発生したり、外部干渉により損傷したりすることを防止できるＬＥＤ照明装置を提供する。【解決手段】ベース１２と、光源用のＬＥＤチップ３８を有しベース１２の内面に固定されたブスバー回路３５と、ベース１２に合体されブスバー回路３５を覆うカバー２５とを備えたＬＥＤランプモジュールが、ブスバー回路３５に接続されるフラット電線４０に少なくとも二つ以上繋がれ、複数のＬＥＤランプモジュールが上下に重なって構成されるＬＥＤ照明装置であって、ＬＥＤランプモジュールから引き出されたフラット電線４０の余長部分４１を、Ｕターン状に折り返してベース１２の外面１３ｂに沿って配線し、ベース１２の外面１３ｂに、この余長部分を収容させる電線収容溝２３を形成した。【選択図】      図３
2005011730.tif 000002
【特許請求の範囲】
【請求項１】
ベースと、該ベースに固定された導電回路と、該ベースに合体され該導電回路を覆うカバーとを備えたＬＥＤランプモジュールが、該導電回路に接続される電線に少なくとも二つ以上繋がれ、複数の該ＬＥＤランプモジュールが上下に重なって構成されるＬＥＤ照明装置であって、
前記ＬＥＤランプモジュールから引き出された前記電線の余長部分が、Ｕターン状に折り返され、該ベースの外面に沿って配線されたことを特徴とするＬＥＤ照明装置。
【請求項２】
前記ベースの外面に、前記余長部分を収容させる電線収容溝が形成されたことを特徴とする請求項１記載のＬＥＤ照明装置。
【請求項３】
前記カバーの天井壁に、前記ベースの内面に配線された前記電線を押さえ付ける電線押さえ部が形成されたことを特徴とする請求項１又は２記載のＬＥＤ照明装置。
【請求項４】
前記ベースの内面に、前記電線の横ずれを防止する電線ガイド部が形成されたことを特徴とする請求項１〜３のいずれか１項に記載のＬＥＤ照明装置。
【発明の詳細な説明】
【０００１】
【発明の属する技術分野】
本発明は、例えば自動車の室内灯やマップライトなどに用いられて車室内を照らしたり、コンソールボックスやグローブボックス、小物収容ポケットや灰皿などの小物入れの内部を照らしたり、カップホルダ自体を照らしたり、足下を照らしたりする小型のＬＥＤ照明装置に関するものである。
【０００２】
【従来の技術】
図６は従来の照明装置の一例を示すものである（特許文献１）。
【０００３】
この従来例は、コンソールボックス６６などの小物入れの内部を低消費電力で適度な明るさに照らすことができる照明装置６０を提供したものであり、ランプ本体６１と、ランプ本体６１に取り付けられた基板６３と、基板６３を覆うレンズ６５とを備えたことを特徴とするものである。
【０００４】
ランプ本体６１は、合成樹脂材料から全体が箱形状に形成されたものである。ランプ本体６１の下側部分には、照明装置６０をコンソールボックス６６の壁面に取り付けるための取付部６２を有している。ランプ本体６１には、基板６３及びレンズ６５がそれぞれ係止手段により固定保持されている。
【０００５】
基板６３には、複数のＬＥＤチップ６４が実装されている。ＬＥＤチップ６４は、直線状に配列されており、分岐線６６を介してオルタネータおよびバッテリと接続され、線状に発光されるようになっている。基板６３には、図示しないノイズ防止用の整流ダイオードや電流制限抵抗などの電子部品も実装されている。
【０００６】
レンズ６５は、光透過性のよい合成樹脂材料から箱状に形成されている。このため、ＬＥＤチップ６４から照射される光が、レンズ６５を透過することにより集光されて、コンソールボックス６６内が明るく照らされるようになっている。
【０００７】
このような構成によれば、ＬＥＤチップ６４が多数実装されているから、小物入れの内部を十分な明るさに照らすことができ、かつ、消費電力の低い照明装置を提供することができる。
【０００８】
図７は、従来の照明装置の他の一例として、第２の従来例を示したものである。この従来例は、前記第１の従来例と同様にして、コンソールボックスやグローブボックスなどの小物入れに取り付けられる照明装置７０に関するものである。照明装置７０は、車内に配索されるワイヤハーネス７５に、ジョイントコネクタ７１、分岐線７２及びモジュール側コネクタ７３を介していわゆるバス型接続されている。
【０００９】
照明装置７０を増設する場合は、ジョイントコネクタ７１、分岐線７２、モジュール側コネクタ７３を新たに用意し、他の照明装置７０と同様にしてワイヤハーネス７５に沿って並列に並べられる。
【００１０】
図８は、従来の照明装置の他の一例として、第３の従来例を示したものであり、この従来例が第２の従来例と異なる点は、複数の照明装置８０がワイヤハーネスから分岐された分岐線８１に直列に繋がっている点である。
【００１１】
各照明装置８０は、ベース８４とカバー８６からなるケース８７と、導電回路とから構成されている。ベース８４およびカバー８６は、ともに絶縁性の合成樹脂材料から樹脂成形されたものである。分岐線８１はその中間部が導電回路にはんだ付けされている。
【００１２】
しかしながら、上記第１〜第３の従来例にあっては、以下の問題点がある。
【００１３】
第１の従来例では、基板に２本の分岐線６６端部が接続されているため、照明装置を増設する場合には本線に新たに分岐線６６を形成しなければならず、手間やコストがかかり、照明装置の増設が容易ではないという問題がある。
【００１４】
また、基板６３には複数のＬＥＤチップ６４が取り付けられているため、ランプ本体６１が大きくなり、スペースの狭い小物入れに取り付けることができないという問題がある。例えば、灰皿やカップホルダなどには、取り付けることができない場合がある。照明装置６０を小型化するために、複数のＬＥＤチップ６４の間隔を狭めた場合には、放熱性が悪くなり、照明装置６０内の温度が高くなり、発光効率が低下するという問題がある。殊に、赤色ＬＥＤチップは、高温で発光効率が急激に低下する場合がある。
【００１５】
照明装置６０が、灰皿やカップホルダなどの小物入れに用いられる場合は、高照度を必要としないため、小数のＬＥＤチップ６４を備えれば十分であり、照明装置６０が、コンソールボックスやグローブボックスやマップライトに用いられる場合には、高照度が必要であるため、多数のＬＥＤチップ６４を備える必要がある。このように、ＬＥＤチップ６４の数は、小物入れのサイズや照らされる場所によって異なるものであるが、前記照明装置６０は、ＬＥＤチップ６４の増加や縮小にフレキシブルに対応することができず、ランプ本体６１、基板６３、レンズ６５などを新たに作り直さなければならず、金型費用などを含めたトータルコストが嵩むという問題もある。
【００１６】
第２の従来例は、照明装置７０が分岐線端部７２とコネクタ接続されるものであるため、接続作業が容易であるという利点があるものの、照明装置を小型化することができないという問題がある。また、照明装置７０は、ワイヤハーネス７５にジョイントコネクタ７１、分岐線７２及びモジュール側コネクタ７３を介して接続されたものであり、部品点数が多くなり、トータルコストが嵩むという問題がある。さらに、第１の従来例と同様にして、照明装置が分岐線の中間部ではなく端部に接続されるものであるため、照明装置７０を増設するのが容易ではなく、手間がかかるという問題もある。
【００１７】
第３の従来例では、各照明装置８０の組み立てを行いやすくするために、隣り合う照明装置８０の間に電線８１の余長部分８１ａが残されているが、余長部分８１ａが長すぎると、車両走行中の振動などにより、ばたついて異音を発生したり、外部干渉により損傷したりするという問題がある。
【００１８】
【特許文献１】
特開平９−２７２３７７号公報（第２−４頁、第１図）
【００１９】
【発明が解決しようとする課題】
本発明は、上記した点に鑑み、電線の余長部分がばたついて異音を発生したり、外部干渉により損傷したりすることを防止できるＬＥＤ照明装置を提供することを目的とする。
【００２０】
【課題を解決するための手段】
上記目的を達成するために、請求項１記載の発明は、ベースと、該ベースに固定された導電回路と、該ベースに合体され該導電回路を覆うカバーとを備えたＬＥＤランプモジュールが、該導電回路に接続される電線に少なくとも二つ以上繋がれ、複数の該ＬＥＤランプモジュールが上下に重なって構成されるＬＥＤ照明装置であって、前記ＬＥＤランプモジュールから引き出された前記電線の余長部分が、Ｕターン状に折り返され、該ベースの外面に沿って配線されたことを特徴とする。
上記構成によれば、導電回路には、電線が接続されるから、コネクタ接続される場合に比べて、ＬＥＤランプモジュールの構造をコンパクトに抑えることができる。電線に繋がる複数のＬＥＤランプモジュールが上下に重なるから、被照射部の仕様に応じてＬＥＤランプの照度を適度に調整可能となる。電線がベースの内外面に沿ってＵターン配線されるから、ＬＥＤランプモジュールのベースとカバーとの間に電線が挟まれ、余長部分のばたつきによる異音の発生や損傷などが防止される。
【００２１】
また、請求項２記載の発明は、請求項１記載のＬＥＤ照明装置において、前記ベースの外面に、前記余長部分を収容させる電線収容溝が形成されたことを特徴とする。
上記構成によれば、電線の余長部分が電線収容溝に収容されることで、余長部分の位置決めが行われて横ずれすることが防止される。
【００２２】
また、請求項３記載の発明は、請求項１又は２記載のＬＥＤ照明装置において、前記カバーの天井壁に、前記ベースの内面に配線された前記電線を押さえ付ける電線押さえ部が形成されたことを特徴とする。
上記構成によれば、ＬＥＤランプモジュールの内部から引き出された電線をＵターン状に折り返した際に、ベースの内面に沿って配線された電線の浮き上がりが防止される。
【００２３】
また、請求項４記載の発明は、請求項１〜３のいずれか１項に記載のＬＥＤ照明装置において、前記ベースの内面に、前記電線の横ずれを防止する電線ガイド部が形成されたことを特徴とする。
上記構成によれば、電線が幅方向に位置決めされ、横ずれすることが防止される。このため、ベースの内外面に沿って、巻き付けつるように配線された電線の擦れによる損傷を防止することができる。
【００２４】
【発明の実施の形態】
本発明の実施の形態の具体例を図面を用いて詳細に説明する。
図１〜図５は、本発明に係るＬＥＤ照明装置の一実施形態を示すものである。
【００２５】
ＬＥＤ（Ｌｉｇｈｔ  Ｅｍｉｔｔｉｎｇ  Ｄｉｏｄｅ、発光ダイオード）照明装置１０は、２芯のフラット電線（電線）４０に直列に接続されたＬＥＤランプモジュール３４を上下に重ねたものであり、自動車の室内灯やマップライトなどに用いられて車室内を照らしたり、コンソールボックスやグローブボックス、小物収容ポケットなどの小物入れの内部を照らしたりする小型の照明装置である。
【００２６】
重ねる前の複数のＬＥＤランプモジュール３４は、図８の従来例のように、フラット電線４０の余長部分が残されるように、所定の間隔で配置されたものである。フラット電線４０は、複数のＬＥＤランプモジュール３４を貫通する１本の電線である。フラット電線４０に接続されるＬＥＤランプモジュール３４は、２つに制約されるものではなく、３つ又は４つ以上でもよく任意である。
【００２７】
本発明に係るＬＥＤ照明装置１０は、フラット電線の余長部分がばたついて異音を発生したり、外部干渉により損傷したりすることを防止できるものであり、ベース１２と、光源用のＬＥＤチップ（ＬＥＤ）３８を有しベース１２の内面に固定されたブスバー回路３５と、ベース１２に合体されブスバー回路３５を覆うカバー２５とを備えたＬＥＤランプモジュール３４が、ブスバー回路３５に接続されるフラット電線４０に少なくとも二つ以上繋がれ、複数のＬＥＤランプモジュール３４が上下に重なって構成されるＬＥＤ照明装置１０であって、ＬＥＤランプモジュール３４から引き出されたフラット電線４０の余長部分４１が、Ｕターン状に折り返されてベース１２の外面１３ｂに沿って配線され、ベース１２の外面１３ｂに、この余長部分４１を収容させる電線収容溝２３が形成されたことを第１の特徴とする。
【００２８】
また、本発明は、カバー２５の天井壁２６に、ベース１２の内面１３ａに配線されたフラット電線４０を押さえ付ける電線押さえ部４３が下方に突出して形成されたことを第２の特徴とするものである。
【００２９】
以下に、ＬＥＤ照明装置１０の主要構成部分及びその作用について、詳細に説明する。
ＬＥＤ照明装置１０は、フラット電線４０を介しバッテリから電源の供給を受けて、動作するようになっている。フラット電線４０の上流側には、図示しないジャンクションボックスおよび図示しないジョイントコネクタが接続されている。例えば、ジャンクションボックスは図示しないワイヤハーネスを介してバッテリに接続され、ジョイントコネクタはワイヤハーネスを介してジャンクションボックスに接続されている。そして、ＬＥＤランプモジュール３４は、１本のフラット電線４０を介してジョイントコネクタに接続されている。なお、ジャンクションボックスが、幹線としてのワイヤハーネスを分岐する機能を有するものであれば、ジョイントコネクタを設けずに、フラット電線４０をジャンクションボックスから分岐させることも可能である。
【００３０】
ジャンクションボックスは、既存の電気接続箱であり、例えば合成樹脂製のケース内に回路基板や配線板を有するとともに、配線板に接続されたコネクタやリレーやヒューズなどの電気部品を備えたものである。ジャンクションボックスは、例えば自動車のエンジンルームやインストルメントパネル廻りに配置される。ジョイントコネクタは、ジャンクションブロックより下流側の例えばフロントピラーやその近傍に配置される。
【００３１】
ＬＥＤ照明装置１０は、フラット電線４０に少なくとも二つ以上繋がれたＬＥＤランプモジュール３４を上下に重ねて構成される照明装置である。フラット電線４０は、＋側の一本の絶縁被覆電線（電源線）と−側の一本の絶縁被覆電線（グランド線）とを中間のフラット絶縁帯で平行に連結したものであり、二本の電線はフラット絶縁帯から所望の位置で切り離し可能になっている（図５）。フラット電線４０は、その中間部がブスバー回路に接続され、途中で切れることなくＬＥＤランプモジュール３４内を貫通するようになっている。
【００３２】
図１、図３、図４に示すように、２つのＬＥＤランプモジュール３４に接続されたフラット電線４０は、上下に重なるＬＥＤランプモジュール３４のベース１２とカバー２５との間に挟まれる格好で配線されている。詳しく説明すると、上側に位置するＬＥＤランプモジュール３４のベース１２の内面１３ａに沿って配線されたフラット電線４０は、電線導出口４２から引き出され、Ｕターン状に折り返され、その余長部分４１がベース１２の一方の端から他方の端までベース１２の外面１３ｂに沿って配線され、再び逆Ｕターン状に折り返され、下側に位置するＬＥＤランプモジュール３４の電線導入口４４から導入されるようになっている。すなわち、上下に連結されたＬＥＤランプモジュール３４に接続されたフラット電線４０は、クランク状に折り曲げられて配線されている。
【００３３】
このようにフラット電線４０を配線すると、隣り合うＬＥＤランプモジュール３４の間に位置する余長部分４１が、上下に重なるＬＥＤランプモジュール３４のベース１２とカバー２５との間で挟まれるため、余長部分４１が外部に露出せず、ばたつきによる異音の発生や損傷などが防止される。
【００３４】
ＬＥＤ照明装置１０を構成する単体としてのＬＥＤランプモジュール３４は、ベース１２と、ＬＥＤチップ３８が実装されたブスバー回路３５と、カバー２５とから構成されている。ベース１２とカバー２５とで箱状のケースが形成されている。
【００３５】
図５に示すように、ベース１２は、絶縁性の合成樹脂材料で成形されたものであり、矩形板状をなしている。ベース１２には、電線収容溝２３、係止爪１６、圧接部補強リブ２０、電線ガイド部２２が形成されている。なお、ベース１２は、合成樹脂を構成材料とすることに制約するものではなく、絶縁性・成形性に優れるものであれば、硬質のシリコンゴムやセラミックスなどの他の材料を構成材料とすることも可能である。
【００３６】
電線収容溝２３（図２参照）は、フラット電線４０の余長部分４１を収容する溝であり、ベース１２の外面１３ｂに、一方の端から他方の端に亘って形成されている。電線収容溝２３の溝深さは、余長部分４１を完全に収容することができるように、フラット電線４０の厚み以上の深さに形成されている。電線収容溝２３の溝幅は、余長部分４１が横ずれしないように、フラット電線４０の幅と同程度の幅に形成されている。
【００３７】
これにより、フラット電線４０の余長部分４１が、ＬＥＤランプモジュール３４の外側に露出することがなくなり、外部と干渉して損傷を受けたりすることが完全に防止される。
【００３８】
係止爪１６は、カバー２５の係止溝３３に対応する位置でベース１２の内面１３ａに真直に起立しており、先端側に爪部１６ａが形成されている。係止爪１６と係止溝３３とが係合することで、ベース１２とカバー２５とが不用意に外れることなく合体されるようになっている。
【００３９】
圧接部補強リブ２０は、Ｕ字状をなし、ブスバー３６の端部に起立連成された圧接端子３７に対する補強リブであり、前後に位置する電線ガイド部２２の間に位置して、ベース１２の内面１３ａに対して垂直に起立している。この圧接部補強リブ２０は、互い違いに一対設けられており、一対の各圧接端子３７がそれぞれ補強されるようになっている。これにより、圧接部補強リブ２０と電線ガイド部２２の間に圧入された圧接端子３７は、電線圧接時に圧接片が外側に倒れることが防止されるようになっている。
【００４０】
電線ガイド部２２は、Ｗ字状をなし、ベース１２の内１３ａ面に配線されるフラット電線４０を真直に保持し、横ずれを防止するガイド部であり、圧接部補強リブ２０の外側に位置している。中央の立壁２２ａと一方の立壁２２ａとの間には、バッテリに接続された＋側の電線４０ａが保持され、中央の立壁２２ａと他方の立壁２２ａとの間には、−側の電線４０ｂが保持されている。一対の立壁２２ａ，２２ａの間隔は、各電線４０ａ，４０ｂの外径よりもやや幅狭に形成されているため、収容された各電線４０ａ，４０ｂは挟持されるようになっている。
【００４１】
ブスバー回路３５は、回路導体としてのブスバー３６と、ブスバー３６にはんだ付けされたＬＥＤチップ３８と、定電流ダイオード３９とを備えている。ブスバー３６は、導電性基板を回路パターンに従って打ち抜き形成したものであり、薄肉板状に形成されている。
【００４２】
ブスバー３６は、それ自体が電流を流す導体部であることに加え、圧接端子３７や係止片４５が形成されている。圧接端子３７は、ブスバー３６の端部に起立連成されている。圧接端子３７には、フラット電線４０が接続されバッテリからの電源電流が流れるようになっている。ブスバー３６により、圧接端子３７は低電流ダイオード３９とＬＥＤチップ３８とに接続されているため、電源電流は定電流ダイオード３９を介してＬＥＤチップ３８に供給されるようになっている。
【００４３】
係止片４５は、ブスバー３６の所要の箇所に設けられている。これらの係止４５をベース１２の凹部２１に進入させることで、ブスバー３がワンタッチでベース１２に係止固定されるようになっている。
【００４４】
ＬＥＤチップ３８は、裏面に正負２極の端子を有する表面実装型の白色発光ダイオードである。本実施形態では、定格電流２０ｍＡ、定格電圧３．５ＶのＬＥＤチップ３８が用いられている。バッテリ電圧は、定電流ダイオード３９により減圧されて、定格電圧３．５Ｖに調整されるようになっている。定電流ダイオード３９は、自動車などのように電圧が変動する場合に有効であるが、電圧が変動しない場合は、電流制限抵抗を用いることもできる。ＬＥＤチップ３８の色は、白色に制約されず赤色や青色や緑色にすることもできる。
【００４５】
従来技術の欄で説明したように、ＬＥＤチップ３８は、消費電力が低く、寿命が長く、指向性が高く、高輝度であるなどの特徴を有している。消費電力が低く、寿命が長いのは、電気から光への変換効率（９０％）が非常に高いためである。指向性が高く、高輝度であるのは、白熱灯のように拡散光ではないためである。なお、本発明は、上記ＬＥＤチップ３８に制約するものではなく、種々の出力のＬＥＤチップを用いることができる。また、表面実装型のＬＥＤチップ３８に制約するものでもなく、砲弾型のＬＥＤチップを用いることもできる。
【００４６】
カバー２５は、樹脂成形により矩形箱状に形成され、天井壁２６と、天井壁２６の縁部に直交して連なる周壁３０とから構成されている。下部は開口形成されており、ブスバー回路３５が覆われて保護されるようになっている。周壁３０には、係止溝３３と、投光窓３１と、電線導出口４２と、電線導入口４４とが形成されている。天井壁２６には、電線押さえ部４３が形成されている。
【００４７】
係止溝３３は、ベース１２の係止爪１６に対応して位置し、周壁３０と天井壁２６の交差部に形成されている（図１、２）。ベース１２にカバー２５を合体させると、係止爪１６が係止溝３３に係合して、カバー２５が外れないようになっている。
【００４８】
投光窓３１は、ＬＥＤチップ３８の光を外側に放出させる窓部であり、矩形状をなしている。窓の縁部は、傾斜面３１ａに面取りされており、放たれる光が所定の開き角度で拡散されるようになっている。本実施形態のＬＥＤランプモジュール３４は、片側の開き角度が６０度になるように設定されている。また、ＬＥＤチップの発光面３８ａとされる上面と対向する投光窓３１の天井面に、反射材を塗布することも可能である。このようにすると、発光面３８ａから照射された光は、反射材により反射されて、効率よく投光窓の外側へ照射されるようになる。
【００４９】
電線導出口４２および電線導入口４４は、ベース１２の内面１３ａに配線されたフラット電線４０に対応する位置に形成された切欠き状の凹みである。ベース１２とカバー２５とを合体させた際に、電線導出口４２および電線導入口４４をフラット電線４０が通過して、フラット電線４０が外側に引き出され、または内側に導入されるようになっている。
【００５０】
電線押さえ部４３は、電線導出口４２および電線導入口４４と対向して位置し、電線導出口４２および電線導入口４４と同等の高さないしはやや突出している。ベース１２とカバー２５とを合体させた際に、電線押さえ部４３の先端がフラット電線４０を押さえ付けることで、フラット電線４０が前後に動かないように固定されるようになっている。また、ＬＥＤランプモジュール３４の内部を貫通して外側に引き出されたフラット電線４０をＵターン状に折り返しても、ベース１２の内面１３ａに沿って配線されたフラット電線４０の浮き上がりが防止されるようになっている。
【００５１】
なお、上下に重なるＬＥＤランプモジュールの連結構造については、他の出願で提案予定であり、本明細書の説明は省略することとする。
【００５２】
このように本実施形態によれば、ベース１２に取り付けられたブスバー回路３５がカバー２５で覆われることで、電子部品としてのＬＥＤチップ３８や定電流ダイオード３９などが保護され、電気的接続の信頼性が維持される。フラット電線４０に繋がれた複数のＬＥＤランプモジュールが上下に重なるから、被照射部の仕様に応じてＬＥＤランプの照度を適度に調整可能となる。隣り合うＬＥＤランプモジュール３４の間には、フラット電線４０の余長部分４１が残されているから、ＬＥＤランプモジュール３４自体の組立作業性が向上する。フラット電線４０がベース１２の内外面１３ａ，１３ｂに沿ってＵターン配線されるから、ＬＥＤランプモジュール３４のベース１２とカバー２５との間でフラット電線４０の余長部分４１が挟まれ、ばたつきによる異音の発生や損傷などが防止される。
【００５３】
さらに、本発明は上記実施形態に限定されるものではなく、本発明の骨子を逸脱しない範囲で種々変形して実施することができる。
【００５４】
【発明の効果】
以上の如く、請求項１記載の発明によれば、電線の余長部分がベースの内外面に沿ってＵターン配線されるから、ＬＥＤランプモジュールのベースとカバーとの間に電線が挟まれる。したがって、余長部分のばたつきによる異音の発生や損傷などが防止される。
【００５５】
また、請求項２記載の発明によれば、電線の余長部分が電線収容溝に収容されることで、余長部分の位置決めが行われて横ずれすることが防止される。したがって、余長部分が外部との干渉から完全に保護される。
【００５６】
また、請求項３記載の発明によれば、カバーの天井壁に電線押さえ部が形成されているから、ＬＥＤランプモジュールの内部から引き出された電線をＵターン状に折り返した際に、ベースの内面に沿って配線された電線の浮き上がりが防止される。したがって、導電回路と電線との電気的接続の信頼性は維持される。
【００５７】
また、請求項４記載の発明によれば、ベースの内面に電線ガイド部が形成されているから、電線が幅方向に位置決めされ、横ずれすることが防止される。したがって、ベースの内外面に沿って、巻き付けつるようにＵターン配線された電線の擦れによる損傷を防止することができる。
【図面の簡単な説明】
【図１】本発明に係るＬＥＤ照明装置の一実施形態を示す斜視図である。
【図２】図１に示されるＬＥＤ照明装置の電線収容溝の拡大斜視図である。
【図３】同じくＬＥＤ照明装置のカバーを外した状態の側面図である。
【図４】同じくＬＥＤ照明装置に接続されるフラット電線の配線図である。
【図５】同じくＬＥＤ照明装置を構成する単体としてのＬＥＤランプモジュールの分解斜視図である。
【図６】従来の照明装置の一例（第１の従来例）を示す断面図である。
【図７】従来の照明装置の他の一例（第２の従来例）を示す斜視図である。
【図８】従来の照明装置の他の一例（第３の従来例）を示す斜視図である。
【符号の説明】
１０        ＬＥＤ照明装置
１２        ベース
１３ａ      内面
１３ｂ      外面
２２        電線ガイド部
２３        電線収容溝
２５        カバー
２６        天井壁
３４        ＬＥＤランプモジュール
３５        ブスバー回路（導電回路）
３８        ＬＥＤチップ（ＬＥＤ）
４０        フラット電線（電線）
４１        余長部分
４３        電線押さえ部
【図１】
2005011730.tif 000003
【図２】
2005011730.tif 000004
【図３】
2005011730.tif 000005
【図４】
2005011730.tif 000006
【図５】
2005011730.tif 000007
【図６】
2005011730.tif 000008
【図７】
2005011730.tif 000009
【図８】
2005011730.tif 000010